(57)【要約】  複数のメッシュポイント（ＭＰ）を備えるワイヤレス通信システムにおいて、管理情報を送信する方法および装置は、第１のメッシュポイント（ＭＰ）が管理フレームを第２のメッシュポイント（ＭＰ）に送信することを含み、管理フレームは、宛先ＭＰのメディアアクセス制御（ＭＡＣ）アドレスを含む。第２ＭＰは、第１ＭＰから管理フレームを受信し、第２ＭＰが宛先ＭＰであるかどうかを判定する。第２ＭＰが宛先ＭＰではないと第２ＭＰが判定した場合、第２ＭＰは、管理フレームを更新し、管理フレームを第３ＭＰに送信する。データが宛先ＭＰに到達したとき、送信は終了する。
2008541575.tif 000002
【特許請求の範囲】
【請求項１】
複数のメッシュポイント（ＭＰ）を備えるワイヤレス通信システムで管理情報を送信する方法であって、
第１のメッシュポイント（ＭＰ）が管理フレームを第２のメッシュポイント（ＭＰ）に送信する工程と、ここで、前記管理フレームは、宛先ＭＰの第１メディアアクセス制御（ＭＡＣ）アドレスを含み、
前記第２のメッシュポイント（ＭＰ）が前記第１のメッシュポイント（ＭＰ）から前記管理フレームを受信する工程と、
前記第２のメッシュポイント（ＭＰ）が前記宛先メッシュポイント（ＭＰ）であるかどうかを前記第２のメッシュポイント（ＭＰ）が判定する工程と、
前記第２のメッシュポイント（ＭＰ）が前記宛先メッシュポイント（ＭＰ）ではないと前記第２のメッシュポイント（ＭＰ）が判定した場合、前記第２のメッシュポイント（ＭＰ）が前記管理フレームを更新する工程と、
前記第２のメッシュポイント（ＭＰ）が前記管理フレームを第３のメッシュポイント（ＭＰ）に送信する工程と
を具えたことを特徴とする方法。
【請求項２】
前記管理フレームは、宛先メッシュポイント（ＭＰ）フィールド、ソースメッシュポイント（ＭＰ）フィールド、および複数のアドレスフィールドを含むことを特徴とする請求項１記載の方法。
【請求項３】
受信側メッシュポイント（ＭＰ）が前記宛先ＭＰではない場合、前記宛先メッシュポイント（ＭＰ）フィールドはゼロに等しく、受信側メッシュポイント（ＭＰ）が前記宛先メッシュポイント（ＭＰ）である場合、前記宛先メッシュポイント（ＭＰ）フィールドは１に等しいことを特徴とする請求項２記載の方法。
【請求項４】
前記送信側メッシュポイント（ＭＰ）が前記ソースメッシュポイント（ＭＰ）ではない場合、前記ソースメッシュポイント（ＭＰ）フィールドはゼロに等しく、前記送信側メッシュポイント（ＭＰ）が前記ソースメッシュポイント（ＭＰ）である場合、前記ソースメッシュポイント（ＭＰ）フィールドは１に等しいことを特徴とする請求項２記載の方法。
【請求項５】
第１アドレスフィールドに受信側メッシュポイント（ＭＰ）のＭＡＣアドレスがポピュレートされることを特徴とする請求項２記載の方法。
【請求項６】
前記受信側メッシュポイント（ＭＰ）のＭＡＣアドレスは前記宛先メッシュポイント（ＭＰ）のＭＡＣアドレスであることを特徴とする請求項５記載の方法。
【請求項７】
第２アドレスフィールドに送信側メッシュポイント（ＭＰ）のＭＡＣアドレスがポピュレートされることを特徴とする請求項５記載の方法。
【請求項８】
前記送信側メッシュポイント（ＭＰ）のＭＡＣアドレスは前記ソースメッシュポイント（ＭＰ）のＭＡＣアドレスであることを特徴とする請求項７記載の方法。
【請求項９】
第３アドレスフィールドに宛先メッシュポイント（ＭＰ）のＭＡＣアドレスがポピュレートされることを特徴とする請求項７記載の方法。
【請求項１０】
第４アドレスフィールドにソースメッシュポイント（ＭＰ）のＭＡＣアドレスがポピュレートされることを特徴とする請求項９記載の方法。
【請求項１１】
メッシュポイント（ＭＰ）が複数のＭＡＣアドレスによって識別されることを特徴とする請求項１記載の方法。
【請求項１２】
第１ＭＡＣアドレスは、前記ワイヤレス通信システム内の特定のメッシュポイント（ＭＰ）を前記メッシュポイント（ＭＰ）のマスタＭＡＣアドレスとして識別することを特徴とする請求項１１記載の方法。
【請求項１３】
第２ＭＡＣアドレスは、前記特定のメッシュポイント（ＭＰ）と隣接するメッシュポイント（ＭＰ）との間の通信リンクを識別することを特徴とする請求項１２記載の方法。
【請求項１４】
前記第２ＭＡＣアドレスは、前記隣接するメッシュポイント（ＭＰ）のＭＡＣアドレスであることを特徴とする請求項１３記載の方法。
【請求項１５】
前記第２ＭＡＣアドレスは、前記ワイヤレス通信システム内の前記特定のメッシュポイント（ＭＰ）と前記隣接するメッシュポイント（ＭＰ）との間の通信メッシュリンクを識別することを特徴とする請求項１４記載の方法。
【請求項１６】
前記管理フレームはメッシュリンク識別子（ＩＤ）フィールドを含み、前記メッシュリンクＩＤフィールドは、前記ワイヤレス通信システム内の前記特定のメッシュリンクを識別することを特徴とする請求項１５記載の方法。
【請求項１７】
前記管理フレームはペイロードフィールドを含み、前記メッシュリンクＩＤフィールドは前記ペイロードフィールドの拡張であることを特徴とする請求項１６記載の方法。
【請求項１８】
前記メッシュリンクＩＤフィールドが情報要素内に含まれることを特徴とする請求項１６記載の方法。
【請求項１９】
第２ＭＡＣアドレスは、前記特定のメッシュポイント（ＭＰ）とすべての隣接するメッシュポイント（ＭＰ）との間の通信リンクを識別することを特徴とする請求項１２記載の方法。
【請求項２０】
管理フレームはメッシュリンク識別（ＩＤ）フィールドをさらに含み、前記メッシュリンクＩＤフィールドは、前記ワイヤレス通信システム内の前記特定のメッシュリンクを識別することを特徴とする請求項１９記載の方法。
【請求項２１】
前記管理フレームはペイロードフィールドを含み、前記メッシュリンクＩＤフィールドは前記ペイロードフィールドの拡張であることを特徴とする請求項２０記載の方法。
【請求項２２】
前記メッシュリンクＩＤフィールドは情報要素内に含まれることを特徴とする請求項２０記載の方法。
【請求項２３】
前記メッシュリンクＩＤが無作為に生成されることを特徴とする請求項２０記載の方法。
【請求項２４】
前記メッシュリンクＩＤが、前記宛先ＭＡＣアドレスをシードとして使用して生成されることを特徴とする請求項２３記載の方法。
【請求項２５】
前記管理フレームはソースＭＰおよび宛先メッシュポイント（ＭＰ）を識別することを特徴とする請求項１記載の方法。
【請求項２６】
ワイヤレス通信システムにおいて、
受信機と、
送信機と、
前記受信機と前記送信機のどちらとも通信するプロセッサであって、前記送信機を制御して管理フレームを送信するように構成されたプロセッサと
を具えたメッシュポイント（ＭＰ）であって、
前記管理フレームは、宛先ＭＰのメディアアクセス制御（ＭＡＣ）アドレスを含むことを特徴とするメッシュポイント（ＭＰ）。
【請求項２７】
前記プロセッサがさらに、送信された管理フレームを前記受信機から受信し、前記ＭＰが前記管理フレームの宛先ＭＰであるかどうかを判定し、前記ＭＰが前記宛先ＭＰではない場合、前記管理フレームフィールドを更新するように構成されることを特徴とする請求項２６記載のメッシュポイント（ＭＰ）。
【請求項２８】
複数のメッシュポイント（ＭＰ）を備えるワイヤレス通信システムであって、
各メッシュポイント（ＭＰ）は、
受信機と、
送信機と、
前記受信機と前記送信機のどちらとも通信するプロセッサであって、前記送信機を制御して管理フレームを送信するように構成されたプロセッサと
を具えた集積回路（ＩＣ）を含み、
前記管理フレームは、宛先ＭＰのメディアアクセス制御（ＭＡＣ）アドレスを含むことを特徴とする集積回路（ＩＣ）。
【請求項２９】
前記プロセッサがさらに、送信された管理フレームを前記受信機から受信し、前記ＩＣが含まれるＭＰが管理フレームの宛先ＭＰであるかどうかを判定し、前記ＭＰが前記宛先ＭＰではない場合、前記管理フレームフィールドを更新するように構成されることを特徴とする請求項２８記載の集積回路（ＩＣ）。
【発明の詳細な説明】
【技術分野】
【０００１】
本発明はワイヤレス通信システムに関する。詳細には、本発明は、ワイヤレス通信システムで管理情報を送信する方法および装置に関する。
【背景技術】
【０００２】
ワイヤレス技術が引き続きさらに進歩するにつれて、ワイヤレスローカルエリアネットワーク（ＷＬＡＮ）がさらに普及しつつある。さらに、ワイヤレスネットワークの多数の変形形態が特定の地理的エリア内に存在することができる。例えば、従来型ＷＬＡＮは、ワイヤレス装置と通信し、それらの間でトラフィックを経路指定する基地局を含む構造化システムに基づくことがある。別のタイプのワイヤレスネットワークはアドホックネットワークであり、アドホックネットワークでは、ワイヤレス装置が１つまたは複数の追加のワイヤレス装置とポイントツーポイント技法で通信し、ワイヤレス装置は、動的にネットワークに接続し、ネットワークから切断する。
【０００３】
従来型ＷＬＡＮとアドホックネットワークの組合せとして、メッシュネットワークは、ユーザ装置、端末、アクセスポイント（ＡＰ）、および基地局を含むことができ、それらすべてはメッシュポイント（ＭＰ）として機能する。メッシュネットワークは、ＷＬＡＮに対する低労力カバレッジ拡張（ｌｏｗ−ｅｆｆｏｒｔ  ｃｏｖｅｒａｇｅ  ｅｘｔｅｎｓｉｏｎ）、低労力かつ低複雑性自己配置ＷＬＡＮ（ｌｏｗ−ｅｆｆｏｒｔ  ａｎｄ  ｌｏｗ−ｃｏｍｐｌｅｘｉｔｙ  ｓｅｌｆ−ｄｅｐｌｏｙｉｎｇ  ＷＬＡＮ）、およびその高い耐障害性および冗長性などの特性のために、規格コミュニティでますます支持を得てきた。
【０００４】
８０２．１１規格は現在、データフレーム、管理フレーム、および制御フレームという３つのタイプのフレームを定義している。データフレームは通常、２、３、または４つのメディアアクセス制御（ＭＡＣ）アドレスと共に構成される。しかし、管理メッセージおよび制御メッセージは、２つのＭＡＣアドレスのみと共に構成される。ＢＳＳスター、ＩＢＳＳアドホック、ＡＰ−ＡＰブリッジネットワークなどの既存のワイヤレスネットワークの単一ホップアーキテクチャのために、必要なＭＡＣアドレスは２つだけであったからである。
【発明の開示】
【発明が解決しようとする課題】
【０００５】
しかし、メッシュＷＬＡＮでは、管理フレームを介する管理情報の交換が、あるＭＰから次のＭＰまで単一ホップを超えてしばしば必要となる。さらに、それを用いて他のＭＰと通信することのできるインターフェースの数に応じて、複数のＭＡＣアドレスによって個々のＭＰを識別することができる。
【０００６】
したがって、従来技術の制限を受けないワイヤレス通信システムで、管理情報を送信し、ＭＰのＭＡＣアドレスを一意に識別することが求められる。
【課題を解決するための手段】
【０００７】
本発明は、複数のメッシュポイント（ＭＰ）を備えるワイヤレス通信システムで管理情報を送信する方法および装置に関する。一実施形態では、第１のメッシュポイント（ＭＰ）が第２のメッシュポイント（ＭＰ）に管理フレームを送信し、管理フレームは、宛先メッシュポイント（ＭＰ）のメディアアクセス制御（ＭＡＣ）アドレスを含む。第２のメッシュポイント（ＭＰ）は、第１のメッシュポイント（ＭＰ）から管理フレームを受け取り、第２のメッシュポイント（ＭＰ）が宛先メッシュポイント（ＭＰ）であるどうかを判定する。第２のメッシュポイント（ＭＰ）が宛先メッシュポイント（ＭＰ）ではないと第２のメッシュポイント（ＭＰ）が判定した場合、第２のメッシュポイント（ＭＰ）は管理フレームを更新し、管理フレームを第３のメッシュポイント（ＭＰ）に送信する。データが宛先ＭＰに達したときに送信は終了する。
【０００８】
添付の図面を参照しながら読むときに、本発明の上記の概要ならびに以下の好ましい実施例の詳細な説明をより良く理解されよう。
【発明を実施するための最良の形態】
【０００９】
以下では、「メッシュポイント」（ＭＰ）という用語は、ワイヤレス送信受信ユニット（ＷＴＲＵ）、ユーザ装置（ＵＥ）、移動局、固定またはモバイルサブスクライバユニット、ページャ、またはワイヤレス環境で動作することのできる任意の他のタイプの装置を指す。さらに、ＭＰは、基地局、Ｎｏｄｅ−Ｂ、サイトコントローラ、アクセスポイント、またはワイヤレス環境内の任意の他のタイプのインターフェーシング装置を指すことがある。
【００１０】
本発明の機能は、集積回路（ＩＣ）に組み込むことができ、または多数の相互接続構成要素を備える回路として構成することができる。
【００１１】
図１は、本発明に従って構成されたワイヤレス通信システム１００である。ワイヤレス通信システム１００は、互いに通信することのできる複数のメッシュポイント（ＭＰ）１１０を含む。本発明を説明する上で、ＭＰ１１０をＭＰ１、ＭＰ２、ＭＰ３、ＭＰ４、およびＭＰ５と示す。５つのＭＰ１１０がワイヤレス通信システム１００内で通信するものとして示されているが、ワイヤレス通信システム１００内に任意の数のＭＰ１１０を含めることができることに留意されたい。本発明を説明する上で、ＭＰ１、ＭＰ２、ＭＰ３、ＭＰ４、およびＭＰ５は、すべてほぼ同様のユニットである。
【００１２】
ＭＰ１１０は、管理制御フレームを送信することによって互いに管理情報を通信する。図２では、本発明による管理制御フレーム２００が示されている。管理制御フレーム２００は、フレーム制御フィールド２１０、持続時間フィールド２２０、アドレス１（Ａｄｄ１）フィールド２３０、アドレス２（Ａｄｄ２）フィールド２４０、アドレス３（Ａｄｄ３）フィールド２５０、シーケンス制御フィールド２６０、アドレス４（Ａｄｄ４）フィールド２７０、ペイロードフィールド２８０、およびフレームチェックサム（ＦＣＳ）フィールド２９０を含む。フィールド２１０から２７０は８０２．１１メディアアクセス制御（ＭＡＣ）ヘッダを構成する。従来技術では、フレーム制御フィールド２１０は、Ｔｏ  Ｄｉｓｔｒｉｂｕｔｉｏｎ  Ｓｙｓｔｅｍ（Ｔｏ  ＤＳ）フィールドおよびＦｒｏｍ  Ｄｉｓｔｒｉｂｕｔｉｏｎ  Ｓｙｓｔｅｍ（Ｆｒｏｍ  ＤＳ）フィールドを含む。本発明では、Ｔｏ  ＤＳフィールドおよびＦｒｏｍ  ＤＳフィールドが宛先（Ｄｅｓｔ）ＭＰフィールドおよびソースＭＰフィールドで置き換えられる。さらに、以下で詳細に説明するように、本発明ではアドレスフィールド２３０、２４０、２５０、および２７０が使用される。
【００１３】
図３は、本発明によるメッシュ管理のためのプロセスを実施するように構成されたＭＰ１１０のブロック図である。典型的なＭＰに含まれる公称構成要素に加えて、ＭＰ１１０は、本発明の管理フレームを受信、送信、および処理するように構成されたプロセッサ１１５と、プロセッサ１１５と通信する受信機１１６と、プロセッサ１１５と通信する送信機１１７と、受信機１１６と送信機１１７のどちらとも通信して、ＭＰ１１０へのワイヤレスデータの送信およびＭＰ１１０からのワイヤレスデータの受信を実施するアンテナ１１８とを含む。
【００１４】
単一ホップを超えて管理フレームを送信するために、本発明のＭＰ１１０は、既存のフレーム内の宛先ＭＰフィールド、ソースＭＰフィールド、およびアドレスフィールドを使用して、管理フレームに関するそのステータスを受信側ＭＰに示す。次いで、ＭＰは、受信した管理フレームが受信側ＭＰに対するものであるか否か、または受信側ＭＰが管理フレームを次のＭＰに転送すべきかどうかなど、受信した管理フレームをどのように処理するかを決定することができる。
【００１５】
次に表１（以下に示す）を参照すると、送信側ＭＰが管理フレームを受信側ＭＰに送信するとき、送信側ＭＰは、表１に従ってＤｅｓｔ  ＭＰフィールド、Ｓｏｕｒｃｅ  ＭＰフィールド、およびアドレスフィールドにポピュレートする。例えば、フレームを受信するＭＰが宛先ＭＰである場合、宛先ＭＰフィールドに「１」がポピュレートされ、そうでない場合、「０」がポピュレートされる。管理フレームを送信するＭＰがソースＭＰである場合、ソースＭＰフィールドに「１」がポピュレートされ、そうでない場合、「０」がポピュレートされる。表１で定義される宛先ＭＰフィールドおよびソースＭＰフィールドの値に応じて、Ａｄｄｒｅｓｓフィールドに宛先アドレス（ＤＡ）、ソースアドレス（ＳＡ）、受信機アドレス（ＲＡ）、または送信機アドレス（ＴＡ）がポピュレートされる。宛先ＭＰフィールドが「１」である場合、ＲＡとＤＡは同一である。同様に、ソースＭＰフィールドが「１」である場合、ＴＡとＳＡは同一である。したがって、単なる例を挙げると、表１で、Ｄｅｓｔ  ＭＰフィールドまたはＳｏｕｒｃｅ  ＭＰフィールドのどちらかが「１」である場合、３つのアドレスフィールドのみを使用する可能性がある（表１の行２および３を参照）。同様に、Ｄｅｓｔ  ＭＰフィールドとＳｏｕｒｃｅ  ＭＰフィールドのどちらにも「１」がポピュレートされる場合、２つのアドレスフィールドのみを使用する可能性がある（表１の行４を参照）。アドレスフィールドの特定の配置が表１に示されているが、望む通りに任意の方式でアドレスフィールドにポピュレートすることができることに留意されたい。
【００１６】
【表１】
2008541575.tif 000003
【００１７】
図４は、本発明による、ワイヤレス通信システムで管理情報を送信する方法３００を一般的に記述する流れ図である。ステップ３１０では、第１ＭＰが管理フレームを第２ＭＰに送信する。第２ＭＰは、管理フレームを受信し（ステップ３２０）、ｄｅｓｔ  ＭＰフィールドの値を検出することによって第２ＭＰが宛先ＭＰであるか否かを判定する（ステップ３３０）。
【００１８】
宛先ＭＰフィールドが「１」である場合、ステップ３３０で第２ＭＰが宛先ＭＰであり、方法３００は終了する。ステップ３３０で第２ＭＰが宛先ＭＰではない（すなわち宛先ＭＰフィールドが「０」である）場合、第２ＭＰは、それに応じてフィールドを更新し、管理フレームを第３ＭＰに送信する（ステップ３４０）。第３ＭＰが管理フレームを受信し（ステップ３５０）、第３ＭＰが宛先ＭＰであるか否かを判定する（ステップ３６０）。
【００１９】
ステップ３６０で第３ＭＰが宛先ＭＰである場合、方法３００は終了する。ステップ３６０で第３ＭＰが宛先ＭＰではない場合、第３ＭＰは、それに応じて管理フレーム内のフィールドを更新し、管理フレームを追加のＭＰに送信する（ステップ３７０）。追加のＭＰは、管理フレームが宛先ＭＰで受信されるまで、それに応じて管理フレームを転送する（ステップ３８０）。追加のＭＰも、管理フレームを転送する前に、表１に従ってフィールドを更新できることに留意されたい。
【００２０】
図５は、方法３００に従って管理フレームを送信する複数のＭＰ１１０（ＭＰ１、ＭＰ２、ＭＰ３、ＭＰ４、およびＭＰ５と示す）を示す例示的信号図４００である。具体的には、一例を与えるために、ＭＰ２、ＭＰ３、およびＭＰ４を介してＭＰ１からＭＰ５に送信される管理フレームが示されている。この例では、ＭＰ１がソースＭＰであり、ＭＰ５が宛先ＭＰである。
【００２１】
まず、ＭＰ１のプロセッサ１１５が管理フレームをＭＰ２に送信する（４１０）。ＭＰ１はソースＭＰであり、ＭＰ２は宛先ＭＰではないので、プロセッサ１１５は、ポピュレート済みフィールドＤｅｓｔ  ＭＰ＝０およびｓｏｕｒｃｅ  ＭＰ＝１を含むように信号４１０の管理フレームのフィールドを更新する。表１によれば、Ａｄｄ１＝ＭＰ２（ＲＡ）、Ａｄｄ２＝ＭＰ１（ＳＡ）、およびＡｄｄ３＝ＭＰ５（ＤＡ）である。
【００２２】
ＭＰ２の受信機１１６は、ＭＰ１から送信された管理フレームを受信し、それをＭＰ２のプロセッサ１１５に転送する。プロセッサ１１５は、ＭＰ２が管理フレームの宛先ＭＰではないと判定し、ＭＰ２は、送信機１１７およびアンテナ１１８を介して管理フレームをＭＰ３に送信する（４２０）。ＭＰ２はソースＭＰではなく、ＭＰ３は宛先ＭＰではないので、ＭＰ２のプロセッサ１１５は、Ｄｅｓｔ  ＭＰ＝０およびｓｏｕｒｃｅ  ＭＰ＝０を含むように信号４２０の管理フレームのフィールドを更新する。表１によれば、Ａｄｄ１＝ＭＰ３（ＲＡ）、Ａｄｄ２＝ＭＰ２（ＴＡ）、Ａｄｄ３＝ＭＰ５（ＤＡ）、およびＡｄｄ４＝ＭＰ１（ＳＡ）である。
【００２３】
ＭＰ３の受信機１１６は、送信された管理フレームを受信し、それをＭＰ３のプロセッサ１１５に転送する。次いで、ＭＰ３のプロセッサ１１５は、ＭＰ３が管理フレームの宛先ＭＰではないと判定し、ＭＰ３は、管理フレームをＭＰ４に送信する（４３０。ＭＰ３はソースＭＰではなく、ＭＰ４は宛先ＭＰではないので、ＭＰ３のプロセッサ１１５は、Ｄｅｓｔ  ＭＰ＝０およびｓｏｕｒｃｅ  ＭＰ＝０を含むように信号４３０中の管理フレームのフィールドを更新する。表１によれば、Ａｄｄ１＝ＭＰ４（ＲＡ）、Ａｄｄ２＝ＭＰ３（ＴＡ）、Ａｄｄ３＝ＭＰ５（ＤＡ）、およびＡｄｄ４＝ＭＰ１（ＳＡ）である。
【００２４】
ＭＰ４の受信機１１６は、送信された管理フレームを受信し、それをＭＰ４のプロセッサ１１５に転送する。次いで、ＭＰ４のプロセッサ１１５は、ＭＰ４が管理フレームの宛先ＭＰではないと判定し、ＭＰ４は管理フレームをＭＰ５に転送する（４４０）。ＭＰ５は宛先ＭＰであるが、ＭＰ４はソースＭＰではないので、ＭＰ４のプロセッサ１１５は、Ｄｅｓｔ  ＭＰ＝１およびｓｏｕｒｃｅ  ＭＰ＝０を含むように信号４４０中の管理フレームのフィールドを更新する。表１によれば、Ａｄｄ１＝ＭＰ５（ＤＡ）、Ａｄｄ２＝ＭＰ４（ＴＡ）、およびＡｄｄ３＝ＭＰ１（ＳＡ）である。
【００２５】
ＭＰ５の受信機１１６は、送信された管理フレームを受信し、それをＭＰ５のプロセッサ１１５に転送する。次いで、ＭＰ５のプロセッサ１１５は、ＭＰ５が管理フレームの宛先ＭＰであると判定し、管理フレームを受諾する。次いで、プロセッサ１１５は、管理フレームに含まれる要求に従って動作する。例えば、管理フレームがＭＰ５での出力レベルを求める測定要求であった場合、プロセッサ１１５は、関連する測定値でＭＰ１に応答する。
【００２６】
図６は、本発明の代替実施形態による、管理フレームを送信する複数のＭＰ１１０（ＭＰ１、ＭＰ２、ＭＰ３、ＭＰ４、およびＭＰ５と示す）を示す信号図５００である。この実施形態では、ＭＰ１１０は、他のＭＰと通信するための複数の物理リンクをサポートすることができ、各物理リンクはＭＡＣアドレスを有する。このメッシュで識別すべきであるが、各ＭＰ１１０はマスタアドレスを有することができる。
【００２７】
この例では、ＭＡＣアドレス１１（Ａｄｄ１１）でＭＰ１を識別することができ、ＭＰ２は、他のＭＰと通信するための３つの物理リンクをサポートする。ＭＰ２に関する１つのリンクはＭＰ１と関連付けられ、ＭＡＣアドレス２１（Ａｄｄ２１）で示される。Ａｄｄ２１は、ＭＰ２と関連付けられたマスタＭＡＣアドレスでもよい。さらに、ＭＰ２は、ＭＡＣアドレス２２（Ａｄｄ２２）およびＭＡＣアドレス２３（Ａｄｄ２３）と示される、ＭＰ３と関連付けられた２つの別々の物理リンクを含む。好ましい実施形態では、この２つの別々の物理アドレスを相異なる通信プロトコルと関連付けることができる。例えば、Ａｄｄ２２を８０２．１１ｂと関連付けることができ、Ａｄｄ２３を８０２．１１ｇと関連付けることができる。
【００２８】
さらにこの例では、ＭＰ３は４つの物理リンクをサポートする。したがって、ＭＰ３をマスタＭＡＣアドレス３３（Ａｄｄ３３）で識別することができるが、ＭＰ３は、ＭＰ３に関連付けられたＭＰとの間の物理リンクアドレスも含む。アドレス３２（Ａｄｄ３２）およびアドレス３３（Ａｄｄ３３）と示される２つの物理アドレスがＭＰ２と関連し、アドレス３４（Ａｄｄ３４）がＭＰ４と関連し、物理リンクアドレス３１（Ａｄｄ３１）がＭＰ５と関連する。ＭＰ４をＭＡＣアドレス４１（Ａｄｄ４１）で識別することができ、ＭＰ５をＭＡＣアドレス５１（Ａｄｄ５１）で識別することができる。
【００２９】
この例では、ＭＰ１が、本発明に従ってＭＰ３宛ての管理フレームを送信する。ＭＰ１（Ａｄｄ１１）はソースＭＰであり、ＭＰ２（Ａｄｄ２１）は宛先ＭＰではないので、ＭＰ１のプロセッサ１１５は、表１に従って、Ｄｅｓｔ  ＭＰ＝０およびｓｏｕｒｃｅ  ＭＰ＝１となるようにフィールドを割り当てる。したがって、Ａｄｄ１＝Ａｄｄ２１（ＲＡ−ＭＰ２）、Ａｄｄ２＝Ａｄｄ１１（ＳＡ−ＭＰ１）、Ａｄｄ３＝Ａｄｄ３３（ＤＡ−ＭＰ３）である。次いで、プロセッサ１１５は、送信機１１７およびアンテナ１１８を介して管理フレームをＭＰ２に送信する（５１０）。
【００３０】
ＭＰ２の受信機１１６は、送信された管理フレームを受信し、それをＭＰ２のプロセッサ１１５に転送する。プロセッサ１１５は、管理フレームを復号化し、管理フレームがＭＰ２に対するものではないと判定する。次いで、プロセッサ１１５は、管理フレーム内のフィールドを更新し、それをＭＰ３に送信する（５２０）。ＭＰ２はＭＡＣアドレスＡｄｄ３２で識別される物理リンクを介してＭＰ３と通信するので、ＭＰ２のプロセッサ１１５はＭＰ３を宛先アドレスと認識しない。したがって、ＭＰ２のプロセッサ１１５は、Ｄｅｓｔ  ＭＰ＝０およびｓｏｕｒｃｅ  ＭＰ＝０をそれぞれのフィールドに割り当てる。表１によれば、Ａｄｄ１＝Ａｄｄ３２（ＲＡ−ＭＰ３）、Ａｄｄ２＝Ａｄｄ２２（ＴＡ−ＭＰ２）、Ａｄｄ３＝Ａｄｄ３３（ＤＡ−ＭＰ３）、およびＡｄｄ４＝Ａｄｄ１１（ＳＡ−ＭＰ１）である。
【００３１】
ＭＰ３の受信機１１６は、送信された管理フレームをアンテナ１１８から受信し、それをＭＰ３のプロセッサ１１５に転送する。ＭＰ３のプロセッサ１１５は管理フレームを復号化し、Ｄｅｓｔ  ＭＰフィールドが０に等しいとしても、管理フレームはＭＰ３に対するものであると判定する。ＭＰ３のマスタＭＡＣアドレス（Ａｄｄ３３）が宛先アドレス（ＤＡ）であるＡｄｄ３フィールドにポピュレートされるからである。
【００３２】
図６の信号図で使用される管理フレームのフォーマットは上記の表１に記載されている通りであるが、フォーマットに対する変形形態も使用できることに留意されたい。Ａｄｄ１フィールドがＳＡを示し、Ａｄｄ２フィールドがＲＡを示すことや、アドレスフィールドまたはＤｅｓｔ  ＭＰフィールドおよびソースＭＰフィールドの任意の他の組合せなどの追加のフォーマットに対処するように管理フレームフォーマットを変更することができる。
【００３３】
さらに図６を参照すると、いくつかのＭＰ１１０は、それと通信する複数のＭＰを有することができる。例えば、ＭＰ３がＭＰ２、ＭＰ４、およびＭＰ５と通信するように示されている。したがって、ＭＰ２−ＭＰ３、ＭＰ３−ＭＰ４、ＭＰ３−ＭＰ５などの各ＭＰ間の各メッシュリンクは、ワイヤレス通信システム内で、他のあらゆるメッシュリンクに対して固有のものである。メッシュ管理フレーム２００は宛先ＭＰを識別するので、メッシュリンクを一意に識別するために必要なことは、隣接するＭＰのアドレスを識別することだけである。すなわち、ＭＰ３に送信される管理フレームでＭＰ３とＭＰ４との間のメッシュリンクを識別するために、メッシュリンク識別子（ＩＤ）に必要なことは、ＭＰ４（Ａｄｄ４４）のアドレスを指定することだけである。ＭＰ３とＭＰ２との間のリンクに関するメッシュリンクＩＤがＡｄｄ２１（ＭＰ２のＭＡＣアドレス）と示され、ＭＰ３とＭＰ４との間のメッシュリンクＩＤがＡｄｄ４１（ＭＰ４のＭＡＣアドレス）と示され、ＭＰ３とＭＰ５との間のメッシュリンクＩＤがＡｄｄ５１（ＭＰ５のＭＡＣアドレス）と示される。
【００３４】
例えば、ＭＰ１は、ＭＰ３とＭＰ４との間のメッシュリンクに関する保守操作のための測定要求などを要求する管理フレームをＡｄｄ３３（ＭＰ３）に送信することができる。ＭＰ３は管理フレームでＤＡと識別されるので、ＭＰ３とＭＰ４との間のリンクを一意に識別するためにＭＰ１が指定する必要があるのは、ＭＰ４（Ａｄｄ４１）に関するメッシュリンクＩＤだけである。このことは、メッシュリンクＩＤを含む管理フレーム２００に対する拡張を追加することによって、または情報要素（ＩＥ）にメッシュリンクＩＤを含めることによって実施される。
【００３５】
あるいは、メッシュリンクのグループを識別するためにそのグループに固有メッシュリンクＩＤを割り当てることもできる。例えば、図６をさらに参照すると、メッシュリンクＩＤ９９が、ＭＰ３とその隣接するＭＰ（ＭＰ２、ＭＰ４、ＭＰ５）のすべてとの間のメッシュリンクに割り当てられる。したがって、メッシュリンクＩＤ９９がＭＰ３に対して識別されたとき、ＭＰ３は、ＭＰ２、ＭＰ４、およびＭＰ５に関連するすべてのリンクをうまく認識する。
【００３６】
図７に、メッシュリンク識別を含むように修正された管理フレーム６００を示す。管理フレームは、フレーム制御フィールド６１０、持続時間フィールド６２０、Ａｄｄ１フィールド６３０、Ａｄｄ２フィールド６４０、Ａｄｄ３フィールド６５０、シーケンス制御フィールド６６０、Ａｄｄ４フィールド６７０、ペイロードフィールド６８０、およびフレームチェックサム（ＦＣＳ）フィールド６９０を含む。ペイロードフィールド６８０はさらに、ペイロード６８４に加えてメッシュリンクＩＤフィールド６８２を含むように拡張される。この実施形態では、フレーム制御フィールド６１０は、ペイロードフィールド６８０をどのように復号化すべきかを宛先ＭＰに対して指定することができる。
【００３７】
本発明の代替実施形態では、情報要素内にメッシュリンクＩＤフィールドを設けることができる。図８に、要素ＩＤフィールド７１０、長さフィールド７２０、メッシュリンクＩＤフィールド７３０、および管理情報７４０を含むように修正された情報要素７００を示す。この場合、測定／アクションが要求されるメッシュリンクを一意に識別するために、測定要求／応答、アクション要求／応答などの管理情報をメッシュリンクＩＤと共に宛先ＭＰに送信することができる。
【００３８】
本発明を望む通りに任意のタイプのワイヤレス通信システムとして実装することができる。例えば、任意のタイプのＩＥＥＥ８０２型システムまたは任意の他のタイプのワイヤレス通信システムとして本発明を実装することができる。ソフトウェアとして、またはプロセッサ上で動作するアプリケーションとして本発明を実装することもできる。さらに、特定用途向け集積回路（ＡＳＩＣ）、複数の集積回路、論理プログラマブルゲートアレイ（ＬＰＧＡ）、複数のＬＰＧＡ、離散的構成要素、または集積回路、ＬＰＧＡ、および離散的構成要素の組合せなどの集積回路上で本発明を実装することができる。
【００３９】
本発明の機能および要素を好ましい実施形態で特定の組合せで説明したが、各機能または要素を単独で（好ましい実施形態の他の機能および要素を用いずに）使用することができ、あるいは本発明の他の機能および要素を用いて、または用いずに様々な組合せで使用することができる。例えば、本発明の好ましい実施形態では、特定のメッシュリンクが固有メッシュリンクＩＤで識別される。しかし、所定の拡張と結合された宛先ＭＰアドレスで、またはメッシュリンクを識別するために生成された乱数などの独立の識別子でメッシュリンクを識別することもできる。乱数は、メッシュリンクＩＤを生成するためのシードとしてＭＡＣアドレスを含むことができる。
【００４０】
実施形態
１．複数のメッシュポイント（ＭＰ）を備えるワイヤレス通信システムで管理情報を送信する方法。
【００４１】
２．第１のメッシュポイント（第１ＭＰ）は第２のメッシュポイント（第２ＭＰ）に管理フレームを送信し、管理フレームは宛先メッシュポイント（ＭＰ）の第１メディアアクセス制御（ＭＡＣ）アドレスを含む実施形態１の方法。
【００４２】
３．第２ＭＰは第１ＭＰから管理フレームを受信する前記実施形態のいずれかに記載の方法。
【００４３】
４．第２ＭＰが宛先ＭＰであるかどうかを第２ＭＰが判定する前記実施形態のいずれかに記載の方法。
【００４４】
５．第２ＭＰが宛先ＭＰではないと第２ＭＰが判定した場合、第２ＭＰは管理フレームを更新する前記実施形態のいずれかに記載の方法。
【００４５】
６．第２ＭＰが管理フレームを第３のメッシュポイント（第３ＭＰ）に送信する前記実施形態のいずれかに記載の方法。
【００４６】
７．管理フレームは宛先ＭＰフィールド、ソースメッシュポイント（ＭＰ）フィールド、および複数のアドレスフィールドを含む前記実施形態のいずれかに記載の方法。
【００４７】
８．受信側メッシュポイント（ＭＰ）が宛先ＭＰではない場合、宛先ＭＰフィールドはゼロに等しく、受信側ＭＰが宛先ＭＰである場合、宛先ＭＰフィールドは１に等しい前記実施形態のいずれかに記載の方法。
【００４８】
９．送信側メッシュポイント（ＭＰ）がソースＭＰではない場合、ソースＭＰフィールドはゼロに等しく、送信側ＭＰがソースＭＰである場合、ソースＭＰフィールドは１に等しい前記実施形態のいずれかに記載の方法。
【００４９】
１０．第１アドレスフィールドに受信側ＭＰのＭＡＣアドレスがポピュレートされる前記実施形態のいずれかに記載の方法。
【００５０】
１１．受信側ＭＰのＭＡＣアドレスが宛先ＭＰのＭＡＣアドレスである前記実施形態のいずれかに記載の方法。
【００５１】
１２．第２アドレスフィールドに送信側ＭＰのＭＡＣアドレスがポピュレートされる前記実施形態のいずれかに記載の方法。
【００５２】
１３．送信側ＭＰのＭＡＣアドレスがソースＭＰのＭＡＣアドレスである前記実施形態のいずれかに記載の方法。
【００５３】
１４．第３アドレスフィールドに宛先ＭＰのＭＡＣアドレスがポピュレートされる前記実施形態のいずれかに記載の方法。
【００５４】
１５．第４アドレスフィールドにソースＭＰのＭＡＣアドレスがポピュレートされる前記実施形態のいずれかに記載の方法。
【００５５】
１６．ＭＰが複数のＭＡＣアドレスによって識別される前記実施形態のいずれかに記載の方法。
【００５６】
１７．第１ＭＡＣアドレスは、ワイヤレス通信システム内の特定のＭＰをＭＰのマスタＭＡＣアドレスとして識別する前記実施形態のいずれかに記載の方法。
【００５７】
１８．第２ＭＡＣアドレスは、特定のＭＰと隣接するＭＰとの間の通信リンクを識別する前記実施形態のいずれかに記載の方法。
【００５８】
１９．第２ＭＡＣアドレスは、隣接するＭＰのＭＡＣアドレスである前記実施形態のいずれかに記載の方法。
【００５９】
２０．第２ＭＡＣアドレスは、ワイヤレス通信システム内の特定のＭＰと隣接するＭＰとの間の通信メッシュリンクを識別する前記実施形態のいずれかに記載の方法。
【００６０】
２１．管理フレームはメッシュリンク識別子（ＩＤ）フィールドを含む前記実施形態のいずれかに記載の方法。
【００６１】
２２．メッシュリンクＩＤフィールドはワイヤレス通信システム内の特定のメッシュリンクを識別する前記実施形態のいずれかに記載の方法。
【００６２】
２３．管理フレームはペイロードフィールドを含む前記実施形態のいずれかに記載の方法。
【００６３】
２４．メッシュリンクＩＤフィールドはペイロードフィールドの拡張である前記実施形態のいずれかに記載の方法。
【００６４】
２５．メッシュリンクＩＤフィールドが情報要素内に含まれる前記実施形態のいずれかに記載の方法。
【００６５】
２６．第２ＭＡＣアドレスは、特定のＭＰとすべての隣接するＭＰとの間の通信リンクを識別する前記実施形態のいずれかに記載の方法。
【００６６】
２７．管理フレームは、ワイヤレス通信ネットワーク内の特定のメッシュリンクを識別するメッシュリンクＩＤフィールドをさらに含む前記実施形態のいずれかに記載の方法。
【００６７】
２８．メッシュリンクＩＤフィールドが無作為に生成される前記実施形態のいずれかに記載の方法。
【００６８】
２９．メッシュリンクＩＤフィールドが、宛先ＭＡＣアドレスをシードとして使用して生成される前記実施形態のいずれかに記載の方法。
【００６９】
３０．管理フレームはソースＭＰおよび宛先ＭＰを識別する前記実施形態のいずれかに記載の方法。
【００７０】
３１．ワイヤレス通信システム内のメッシュポイント（ＭＰ）。
【００７１】
３２．受信機をさらに備える実施形態３１に記載のメッシュポイント（ＭＰ）。
【００７２】
３３．送信機をさらに備える実施形態３１〜３２のいずれかに記載のメッシュポイント（ＭＰ）。
【００７３】
３４．受信機をさらに備える実施形態３１〜３３のいずれかに記載のメッシュポイント（ＭＰ）。
【００７４】
３５．受信機および送信機と通信するプロセッサをさらに備える実施形態３１〜３４のいずれかに記載のメッシュポイント（ＭＰ）。
【００７５】
３６．プロセッサが、送信機を制御して管理フレームを送信するように構成される実施形態３１〜３５のいずれかに記載のメッシュポイント（ＭＰ）。
【００７６】
３７．管理フレームは宛先ＭＰのＭＡＣアドレスを含む実施形態３１〜３６のいずれかに記載のメッシュポイント（ＭＰ）。
【００７７】
３８．プロセッサが、送信された管理フレームを受信機から受信するように構成される実施形態３１〜３７のいずれかに記載のメッシュポイント（ＭＰ）。
【００７８】
３９．プロセッサが、ＭＰが管理フレームの宛先ＭＰであるかどうかを判定するように構成される実施形態３１〜３８のいずれかに記載のメッシュポイント（ＭＰ）。
【００７９】
４０．プロセッサが、ＭＰが宛先ＭＰではない場合に管理フレームフィールドを更新するように構成される実施形態３１〜３９のいずれかに記載のメッシュポイント（ＭＰ）。
【００８０】
４１．メッシュポイント（ＭＰ）内の集積回路（ＩＣ）。
【００８１】
４２．受信機をさらに備える実施形態４１に記載の集積回路（ＩＣ）。
【００８２】
４３．送信機をさらに備える実施形態４１〜４２のいずれかに記載の集積回路（ＩＣ）。
【００８３】
４４．受信機をさらに備える実施形態４１〜４３のいずれかに記載の集積回路（ＩＣ）。
【００８４】
４５．受信機および送信機と通信するプロセッサをさらに備える実施形態４１〜４４のいずれかに記載の集積回路（ＩＣ）。
【００８５】
４６．プロセッサが、送信機を制御して管理フレームを送信するように構成される実施形態４１〜４５のいずれかに記載の集積回路（ＩＣ）。
【００８６】
４７．管理フレームは宛先ＭＰのＭＡＣアドレスを含む実施形態４１〜４６のいずれかに記載の集積回路（ＩＣ）。
【００８７】
４８．プロセッサが、送信された管理フレームを受信機から受信するように構成される実施形態４１〜４７のいずれかに記載の集積回路（ＩＣ）。
【００８８】
４９．プロセッサが、ＭＰが管理フレームの宛先ＭＰであるかどうかを判定するように構成される実施形態４１〜４８のいずれかに記載の集積回路（ＩＣ）。
【００８９】
５０．プロセッサが、ＭＰが宛先ＭＰではない場合に管理フレームフィールドを更新するように構成される実施形態４１〜４９のいずれかに記載の集積回路（ＩＣ）。
【図面の簡単な説明】
【００９０】
【図１】本発明に従って構成されたワイヤレス通信システムである。
【図２】本発明による管理フレームである。
【図３】本発明による、管理情報を送信するプロセスを実施するように構成されたメッシュポイント（ＭＰ）のブロック図である。
【図４】本発明による、管理情報を送信する好ましいプロセスの流れ図である。
【図５】本発明による、管理フレームを送信する複数のＭＰを示す信号図である。
【図６】本発明の代替実施形態による、管理フレームを送信する複数のＭＰを示す信号図である。
【図７】メッシュリンク識別を含む修正後管理フレームである。
【図８】メッシュリンク識別を含む修正後情報要素である。
【図１】
2008541575.tif 000004
【図２】
2008541575.tif 000005
【図３】
2008541575.tif 000006
【図４】
2008541575.tif 000007
【図５】
2008541575.tif 000008
【図６】
2008541575.tif 000009
【図７】
2008541575.tif 000010
【図８】
2008541575.tif 000011
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
複数のメッシュポイント（ＭＰ）を有するワイヤレス通信システムで管理情報を送信する方法であって、
第１のメッシュポイント（ＭＰ）が管理フレームを第２のメッシュポイント（ＭＰ）に送信する工程と、ここで、前記管理フレームは、宛先メッシュポイント（ＭＰ）の第１メディアアクセス制御（ＭＡＣ）アドレスを含み、
前記第２のメッシュポイント（ＭＰ）が前記第１のメッシュポイント（ＭＰ）から前記管理フレームを受信する工程と、
前記第２のメッシュポイント（ＭＰ）が前記宛先メッシュポイント（ＭＰ）であるかどうかを前記第２のメッシュポイント（ＭＰ）が判定する工程と、
前記第２のメッシュポイント（ＭＰ）が前記宛先メッシュポイント（ＭＰ）ではないと前記第２のメッシュポイント（ＭＰ）が判定した場合、前記第２のメッシュポイント（ＭＰ）が前記管理フレームを更新する工程と、
前記第２のメッシュポイント（ＭＰ）が前記管理フレームを第３のメッシュポイント（ＭＰ）に送信する工程と
を具え、
第１メディアアクセス制御（ＭＡＣ）アドレスは、ワイヤレス通信システム内の特定のメッシュポイント（ＭＰ）をメッシュポイント（ＭＰ）のマスタメディアアクセス制御（ＭＡＣ）アドレスとして識別し、第２メディアアクセス制御（ＭＡＣ）アドレスは、前記特定のメッシュポイント（ＭＰ）と隣接するメッシュポイント（ＭＰ）との間の通信リンクを識別することを特徴とする方法。
【請求項２】
前記管理フレームは、宛先メッシュポイント（ＭＰ）フィールド、ソースメッシュポイント（ＭＰ）フィールド、および複数のアドレスフィールドを含むことを特徴とする請求項１記載の方法。
【請求項３】
受信側メッシュポイント（ＭＰ）が前記宛先メッシュポイント（ＭＰ）ではない場合、前記宛先メッシュポイント（ＭＰ）フィールドはゼロに等しく、受信側メッシュポイント（ＭＰ）が前記宛先メッシュポイント（ＭＰ）である場合、前記宛先メッシュポイント（ＭＰ）フィールドは１に等しいことを特徴とする請求項２記載の方法。
【請求項４】
前記送信側メッシュポイント（ＭＰ）が前記ソースメッシュポイント（ＭＰ）ではない場合、前記ソースメッシュポイント（ＭＰ）フィールドはゼロに等しく、前記送信側メッシュポイント（ＭＰ）が前記ソースメッシュポイント（ＭＰ）である場合、前記ソースメッシュポイント（ＭＰ）フィールドは１に等しいことを特徴とする請求項２記載の方法。
【請求項５】
第１アドレスフィールドに受信側メッシュポイント（ＭＰ）のメディアアクセス制御（ＭＡＣ）アドレスがポピュレートされることを特徴とする請求項２記載の方法。
【請求項６】
前記受信側メッシュポイント（ＭＰ）のメディアアクセス制御（ＭＡＣ）アドレスは前記宛先メッシュポイント（ＭＰ）のメディアアクセス制御（ＭＡＣ）アドレスであることを特徴とする請求項５記載の方法。
【請求項７】
第２アドレスフィールドに送信側メッシュポイント（ＭＰ）のメディアアクセス制御（ＭＡＣ）アドレスがポピュレートされることを特徴とする請求項５記載の方法。
【請求項８】
前記送信側メッシュポイント（ＭＰ）のメディアアクセス制御（ＭＡＣ）アドレスは前記ソースメッシュポイント（ＭＰ）のメディアアクセス制御（ＭＡＣ）アドレスであることを特徴とする請求項７記載の方法。
【請求項９】
第３アドレスフィールドに宛先メッシュポイント（ＭＰ）のメディアアクセス制御（ＭＡＣ）アドレスがポピュレートされることを特徴とする請求項７記載の方法。
【請求項１０】
第４アドレスフィールドにソースメッシュポイント（ＭＰ）のメディアアクセス制御（ＭＡＣ）アドレスがポピュレートされることを特徴とする請求項９記載の方法。
【請求項１１】
メッシュポイント（ＭＰ）が複数のメディアアクセス制御（ＭＡＣ）アドレスによって識別されることを特徴とする請求項１記載の方法。
【請求項１２】
第２メディアアクセス制御（ＭＡＣ）アドレスは前記隣接するメッシュポイント（ＭＰ）のメディアアクセス制御（ＭＡＣ）アドレスであることを特徴とする請求項１記載の方法。
【請求項１３】
第２メディアアクセス制御（ＭＡＣ）アドレスは、前記ワイヤレス通信システム内の前記特定のメッシュポイント（ＭＰ）と前記隣接するメッシュポイント（ＭＰ）との間の通信メッシュリンクを識別することを特徴とする請求項１２記載の方法。
【請求項１４】
前記管理フレームはメッシュリンク識別子（ＩＤ）フィールドを含み、前記メッシュリンクＩＤフィールドは、前記ワイヤレス通信システム内の前記特定のメッシュリンクを識別することを特徴とする請求項１３記載の方法。
【請求項１５】
前記管理フレームはペイロードフィールドを含み、前記メッシュリンクＩＤフィールドは前記ペイロードフィールドの拡張であることを特徴とする請求項１４記載の方法。
【請求項１６】
前記メッシュリンクＩＤフィールドが情報要素内に含まれることを特徴とする請求項１４記載の方法。
【請求項１７】
第２メディアアクセス制御（ＭＡＣ）アドレスは、前記特定のメッシュポイント（ＭＰ）とすべての隣接するメッシュポイント（ＭＰ）との間の通信リンクを識別することを特徴とする請求項１記載の方法。
【請求項１８】
管理フレームはメッシュリンク識別（ＩＤ）フィールドをさらに含み、前記メッシュリンクＩＤフィールドは、前記ワイヤレス通信システム内の前記特定のメッシュリンクを識別することを特徴とする請求項１７記載の方法。
【請求項１９】
前記管理フレームはペイロードフィールドを含み、前記メッシュリンクＩＤフィールドは前記ペイロードフィールドの拡張であることを特徴とする請求項１８記載の方法。
【請求項２０】
前記メッシュリンクＩＤフィールドは情報要素内に含まれることを特徴とする請求項１８記載の方法。
【請求項２１】
前記メッシュリンクＩＤが無作為に生成されることを特徴とする請求項１８記載の方法。
【請求項２２】
前記メッシュリンクＩＤが、前記宛先メディアアクセス制御（ＭＡＣ）アドレスをシードとして使用して生成されることを特徴とする請求項２１記載の方法。
【請求項２３】
前記管理フレームはソースメッシュポイント（ＭＰ）および宛先メッシュポイント（ＭＰ）を識別することを特徴とする請求項１記載の方法。
【請求項２４】
複数のメッシュポイント（ＭＰ）を備えるワイヤレス通信システムで管理情報を送信する方法であって、
第１のメッシュポイント（ＭＰ）が管理フレームを第２のメッシュポイント（ＭＰ）に送信する工程
を具え、
前記管理フレームは、宛先メッシュポイント（ＭＰ）のメディアアクセス制御（ＭＡＣ）アドレスを含み、
メッシュポイント（ＭＰ）は、マスタメディアアクセス制御（ＭＡＣ）アドレスと、前記メッシュポイント（ＭＰ）と該メッシュポイント（ＭＰ）に隣接するメッシュポイント（ＭＰ）との間の通信リンクを識別する、前記隣接するメッシュポイント（ＭＰ）のメディアアクセス制御（ＭＡＣ）アドレスとによって識別されることを特徴とする方法。
【請求項２５】
複数のメッシュポイント（ＭＰ）を有するワイヤレス通信システムであって、
各メッシュポイント（ＭＰ）は、
受信機と、
送信機と、
前記受信機と前記送信機のどちらとも通信するプロセッサであって、前記送信機を制御して管理フレームを送信するように構成されたプロセッサと
を具え、
前記管理フレームは、宛先メッシュポイント（ＭＰ）のメディアアクセス制御（ＭＡＣ）アドレスを含み、
第１メディアアクセス制御（ＭＡＣ）アドレスは、ワイヤレス通信システム内の特定のメッシュポイント（ＭＰ）をメッシュポイント（ＭＰ）のマスタメディアアクセス制御（ＭＡＣ）アドレスとして識別し、
第２メディアアクセス制御（ＭＡＣ）アドレスは、前記特定のメッシュポイント（ＭＰ）と隣接するメッシュポイント（ＭＰ）との間の通信リンクを識別することを特徴とするメッシュポイント（ＭＰ）。
【請求項２６】
前記プロセッサは、さらに、送信された管理フレームを前記受信機から受信し、前記メッシュポイント（ＭＰ）が前記管理フレームの宛先メッシュポイント（ＭＰ）であるかどうかを判定し、前記メッシュポイント（ＭＰ）が前記宛先メッシュポイント（ＭＰ）ではない場合、前記管理フレームフィールドを更新するように構成されることを特徴とする請求項２５記載のメッシュポイント（ＭＰ）。
【国際調査報告】
2008541575.tif 000012